(57)【特許請求の範囲】
【請求項１】
インキ収容筒の先端部にチップホルダーを圧入装着し、該チップホルダーの先端部に、ボールを回転自在に抱持したボールペンチップを装着したボールペンレフィルにおいて、前記チップホルダーの後端部に、前記インキ収容筒に連通する後部孔を設け、前記後部孔の内壁に、軸心に向かって突出し、長手方向に延びるリブを、周方向の異なる位置に複数本、形成し、前記リブの幅を、均等幅に設け、且つ近接するリブ同士の周方向の隙間が、軸心に向かって小さくなるとともに、前記近接するリブ同士の周方向の隙間が、０．１〜１．０ｍｍであることを特徴とするボールペンレフィル。
【請求項２】
前記リブの内接円径が、後方に向かって拡径することを特徴とする請求項１に記載のボールペンレフィル。
【請求項３】
前記後部孔が、前方孔部と、該前方孔部の後方に連設した、前記前方孔部よりも内径の大きい後方孔部とからなり、前記リブが前記前方孔部及び後方孔部に形成し、且つ前記前方孔部と後方孔部において前記リブを形成していない部分のチップホルダーの肉厚が、略同等であることを特徴とする請求項１または２に記載のボールペンレフィル。
【発明の詳細な説明】
【技術分野】
【０００１】
本発明は、インキ収容筒の先端部にチップホルダーを圧入装着し、該チップホルダーの先端部に、ボールを回転自在に抱持したボールペンチップを装着したボールペンレフィルに関する。
【背景技術】
【０００２】
従来から、インキ収容筒の先端部にチップホルダーを圧入装着し、該チップホルダーの先端部に、ボールを回転自在に抱持したボールペンチップを装着したボールペンレフィルについてよく知られていて、特開２０００−１９８２９１号公報「ボールペンのリフィール」等で開示されている。
【０００３】
ところで、近年、ボールペンレフィルとして、書き味の向上等を目的として、低粘度の油性ボールペンや剪断減粘性を付与した水性ボールペンが数多く上市されている。こうした低粘度の油性ボールペンや剪断減粘性を付与した水性ボールペンは、インキ消費量も多いために、インキ追従性の良好な、ボールペンレフィルが望まれている。
【先行技術文献】
【特許文献】
【０００４】
【特許文献１】特開２０００−１９８２９１号公報
【発明の概要】
【発明が解決しようとする課題】
【０００５】
しかし、特許文献１など、単にチップホルダーの後部孔の内径を大きくすると、インキ収容筒とチップホルダーの嵌合部において、チップホルダーの肉厚が薄くなり、嵌合力が低下する恐れがあった。こうした問題を鑑みて、チップホルダーの嵌合部に一定の厚さの肉厚を具備すると、成形性が悪く、ヒケなどが発生し易く、インキ収容筒とチップホルダーの嵌合部において隙間が発生する恐れがあり、嵌合力を高める必要があるが、組立性が低下する問題があった。
【０００６】
本発明はこれらの従来技術に鑑みてなされたものであって、本発明の課題は、インキ追従性の良好で、チップホルダーとインキ収容筒が圧入嵌合し易く、チップホルダーとインキ収容筒との嵌合部からインキ漏れの発生し難いボールペンレフィルを簡単な構造で提供することにある。
【課題を解決するための手段】
【０００７】
上記目的を達成するために、本発明は、インキ収容筒の先端部にチップホルダーを圧入装着し、該チップホルダーの先端部に、ボールを回転自在に抱持したボールペンチップを装着したボールペンレフィルにおいて、前記チップホルダーの後端部に、前記インキ収容筒に連通する後部孔を設け、前記後部孔の内壁に、軸心に向かって突出し、長手方向に延びるリブを、周方向の異なる位置に複数本、形成し、前記リブの幅を、均等幅に設け、且つ近接するリブ同士の周方向の隙間が、軸心に向かって小さくなるとともに、前記近接するリブ同士の周方向の隙間が、０．１〜１．０ｍｍであることを特徴とする。
【０００８】
また、前記リブの内接円径が、後方に向かって拡径することを特徴とする。
【０００９】
また、前記後部孔が、前方孔部と、該前方孔部の後方に連設した、前記前方孔部よりも内径の大きい後方孔部とからなり、前記リブが前記前方孔部及び後方孔部に形成し、且つ前記前方孔部と後方孔部において前記リブを形成していない部分のチップホルダーの肉厚が、略同等であることを特徴とする。
【００１０】
本願発明の請求項１の構成によれば、前記チップホルダーの後端部に、前記インキ収容筒に連通する後部孔を設け、前記後部孔の内壁に、軸心に向かって突出し、長手方向に延びるリブを、周方向の異なる位置に複数本、形成することで、筆記によるボールペン用インキが消費して追従するときに、インキ収容筒からチップホルダーの後部孔を通じて流れるボールペン用インキが、軸心側の前記リブの内接円内を流れる主流と、前記リブ間を流れる副流とによってインキが流れることができ、毛細管作用も働きやすく、インキ追従性が高まる効果を奏する。
【００１１】
また、前記後部孔に、軸心に向かって延びるリブを、周方向の異なる位置に複数本、形成することで、リブと同じ肉厚を周設するチップホルダーに比べ、インキが流れる空間の体積が増量し、インキ追従性が高まるとともに、ノック操作時や落下時等の衝撃によってボールペンチップ内部のボールペン用インキがインキ収容筒側に逆流してしまう現象、すなわちインキのみ込み現象が、リブを有することで、ボールペン用インキとチップホルダーの接触面積が増加による壁面抵抗によって、抑制することができる。さらにまた、リブと同じ肉厚を周設するチップホルダーに比べ、成形性がよくヒケなど発生を抑制できる効果を奏する。
【００１２】
さらにまた、チップホルダーにリブを設けずに、単に薄肉にした場合に比べ、剛性の低下を抑制するために、インキ収容筒を圧入嵌合するときに、強圧入であっても、内側に撓みやすいために組立性を高め、経時や衝撃によって圧入嵌合力が低下し難く、チップホルダーとインキ収容筒との嵌合部からインキ漏れの発生し難い効果を奏する。
【００１３】
本願発明の請求項２の構成によれば、前記リブの内接円径が、後方に向かって拡径しているために、インキ収容筒からリブの内接円内に流れる本流がスムーズに流れることができる。
【００１４】
本願発明の請求項３の構成によれば、前記後部孔が、前方孔部と、該前方孔部の後方に連設した、前記前方孔部よりも内径の大きい後方孔部とからなり、前記リブが前記前方孔部及び後方孔部に形成することで、ボールペン用インキが、内径の大きいインキ収容筒から後方孔部、前方孔部を通じて、内径の小さいボールペンチップ内に、スムーズに流れることができる。
【発明の効果】
【００１５】
本発明は、本発明の課題は、インキ追従性の良好で、チップホルダーとインキ収容筒が圧入嵌合し易く、チップホルダーとインキ収容筒との嵌合部からインキ漏れの発生し難いボールペンレフィルを簡単な構造で提供することができた。
【図面の簡単な説明】
【００１６】
【図１】実施例１のボールペンレフィルの縦断面図である。
【図２】図１における一部省略した要部拡大図である。
【図３】図２におけるＡ−Ａ断面図である。
【図４】図２におけるＢ−Ｂ断面図である。
【発明を実施するための形態】
【００１７】
次に図面を参照しながら、本発明の多芯筆記具の実施例を説明するが、本発明は以下の実施形態に限定されるものではない。
【００１８】
実施例１
図１から図４に示す実施例１のボールペンレフィル１は、インキ収容筒２の先端部に、チップホルダー３の後端部に形成した圧入装着部３ｅを圧入して装着するとともに、チップホルダー３の先端部には、ボール５を回転自在に抱持したボールペンチップ４を圧入装着して、ボールペンレフィル１を得ている。また、ボールペンチップ４内には、ボール５をチップ先端部の内壁に押圧するコイルスプリング９を配設してあり、インキ収容筒２の後端部には、尾栓６を装着してある。
【００１９】
チップホルダー３について詳述すると、チップホルダー３内は、先端部にボールペンチップ４を装着する嵌着孔３ａと、この嵌着孔３ａの後方に、嵌着孔３ａよりも小径の連通孔３ｂを有し、この連通孔３ｂの後方、且つ少なくとも圧入装着部３ｅに対応する位置内に、連通孔３ｂより大径の後部孔３ｃを形成してある。また、後部孔３ｃには、周方向の異なる位置にリブ３ｄを６本形成してある。
【００２０】
より具体的には、チップホルダー３の後端部に形成した後部孔３ｃは、φ３．０ｍｍの前方孔部３ｃａと、この前方孔部３ｃａの後方にφ４．０ｍｍの後方孔部４ｃｂを設けてあり、前方孔部３ｃａに軸心に向かって突出し、長手方向に沿って延びるリブ３ｄａと、後方孔部３ｃｂに軸心に向かって突出し、長手方向に沿って延びるリブ３ｄｂを連設して、周方向の異なる位置に６本、形成してある。
【００２１】
リブ３ｄの厚さＬは、軸心側で０．５ｍｍから外方に向かって除々に厚くしてあり、周方向の異なる位置、且つ約６０度の等間隔にて６箇所、設けてある。また、リブ３ｄの内接円径は、前方孔部３ｃａの先端側の内接円径Ｒ１が１．８ｍｍ、後方孔部３ｃｂの後端側の内接円径Ｒ２が２．０ｍｍと、リブ３ｄの内接円径が後方に向かって拡径して設けてある。また、前方孔部３ｃａの内径ｒ１は、後方孔部３ｃｂの内径ｒ２よりも小さくしてある。さらに、前方孔部３ｃａと後方孔部３ｃｂにおいてリブ３を形成していない部分のチップホルダー３の肉厚Ｇ１、Ｇ２は、略同等としてある。
【００２２】
筆記によりボールペン用インキ７が消費されると、インキ収容筒２からチップホルダー３の後方孔３ｃ、さらに連通孔３ｂを通じてボールペンチップ４内に流れる。この時、後部孔３ｃ内を流れるボールペン用インキ７は、後部孔３ｄから連通孔３ｂを通じてボールペンチップ４内に流れている。また、後部孔３ｃ内では、軸心側のリブ３の内接円内を流れる主流と、リブ３間を流れる副流とが、連通孔３ｂ側に流れている。
【００２３】
また、前方孔部３ｃａの先端面３ｆと、後方孔部３ｃｂの先端面３ｇは、先端に向かって内径が小さくなる面としてある。このように、前方孔部３ｃａの先端面３ｆと、後方孔部３ｃｂの先端面３ｇを、先端に向かって内径が小さくなる面とすることで、後部孔部３ｃｂから前方孔部３ｃａ及び前方孔部３ｃａから連通孔３ｂへとインキがスムーズに流れることができるので好ましい。
【００２４】
インキ収容筒２内には、剪断速度１．９２ｓｅｃ−１のインキ粘度が、１８００ｍＰａ・ｓの水性ゲルインキボールペン用インキ７と、インキの後端には、グリース状のインキ追従体８を直に収容してある。また、筆記距離１００ｍ当たりのインキ消費量は、１７０ｍｇであった。尚、インキ粘度は、インキ粘度は、ブルックフィールド社製ＤＶ−ＩＩ粘度計（ＣＰＥ−４２ローター）を用いて２０℃の環境下で測定し、インキ消費量は、筆記用紙として、ＪＩＳ  Ｐ３２０１筆記用紙Ａ上に筆記角度６５°、筆記荷重１００ｇの条件にて、筆記速度４ｍ／ｍｉｎの速度で行った。
【００２５】
本実施例では、便宜上、６本のリブ３ｄを形成してあるが、厚さや本数などは特に限定されない。また、後部孔３ｄ内に設けるリブは、後部孔３ｄの長手方向の全長において設けてあってもよいが、リブ３ｄの後端が、長手方向において、チップホルダー３の後端よりも前方に位置し、リブ３ｄの後方に、略円筒形の導入孔部３ｈを形成することすることで、内径の大きいインキ収容筒２から導入孔３ｈ内、さらに導入孔３ｈから後部孔３ｄに、インキが流通可能な横断面積の変化が小さくて済むので、ボールペン用インキ７がスムーズに流れることができる。
【００２６】
また、個々のリブの長さ及び間隔は、特に限定されないが、毛細管作用の働きを考慮して、リブ同士の周方向の隙間は０．１〜１．０ｍｍとすることが好ましく、０．５ｍｍ以下とすることがより好ましく、周方向に均等に設けることが最も好ましい。また、個々のリブも軸心に向かって均等幅に設けてもよいが、軸心に向かって幅を小さくすることで、圧入部の強度をより高めることができるので好ましい。
【産業上の利用可能性】
【００２７】
本発明のボールペンレフィルは、使用するインキに限定されることなく使用可能で、油性ボールペン用インキや水性ボールペン用インキ、修正用インキなど、インキの種類に関わらず使用することができるため、ボールペンレフィルとして広く利用可能である。
【００２８】
また、インキ粘度やインキ消費量も特に限定されるものではないが、インキ消費量が多い方が好ましい傾向があるため、筆記距離１００ｍ当たりのインキ消費量１００ｍｇ以上が好ましく、より好ましくは、２００ｍｇ以上ボールペンレフィルにする方が好ましい。
【符号の説明】
【００２９】
１  ボールペンレフィル
２  インキ収容筒
３  チップホルダー
３ａ  嵌着孔
３ｂ  連通孔
３ｃ  後部孔
３ｃａ  前方孔部
３ｃｂ  後方孔部
３ｄ  リブ
３ｅ  圧入装着部
３ｆ、３ｇ  先端面
３ｈ  導入孔
４  ボールペンチップ
５  ボール
６  尾栓
７  ボールペン用インキ
８  インキ追従体
【図１】
0005802449.tif 000002
【図２】
0005802449.tif 000003
【図３】
0005802449.tif 000004
【図４】
0005802449.tif 000005